(57)【特許請求の範囲】
【請求項１】
通信回線を介して外部のコンピュータと通信可能な情報処理システムにおける情報処理方法において、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記第１のコンピュータに通知する、
処理をコンピュータが実行することを特徴とする情報処理方法。
【請求項２】
さらに、前記第１のコンピュータから、前記補正後金利情報に対する同意を示す応答を受信し、
前記第１のコンピュータから受信したユーザを特定可能な情報により示されるユーザの情報と対応付けて、前記特定の種類の口座を、補正後金利で開設する情報を、前記勘定系システムへ送信することを特徴とする請求項１に記載の情報処理方法。
【請求項３】
前記第１のコンピュータから、前記特定の種類の口座への入金額の指定を受信すると、受信した前記入金額を漢数字で表現した表示と、アラビア数字で表現した表示の双方を含む画面情報を前記第１のコンピュータに送信することを特徴とする請求項１または２に記載の情報処理方法。
【請求項４】
前記特定の種類の口座は、定期預金口座であることを特徴とする請求項１〜３のいずれか１つに記載の情報処理方法。
【請求項５】
通信回線を介して外部のコンピュータと通信可能な情報処理システムにおける情報処理方法において、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記開設要求に応じて開設する口座に適用する金利として前記勘定系システムに通知する、
処理をコンピュータが実行することを特徴とする情報処理方法。
【請求項６】
通信回線を介して外部のコンピュータと通信可能な情報処理システムにおける情報処理プログラムにおいて、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記第１のコンピュータに通知する、
処理をコンピュータに実行させることを特徴とする情報処理プログラム。
【請求項７】
通信回線を介して外部のコンピュータと通信可能な情報処理システムにおける情報処理プログラムにおいて、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記開設要求に応じて開設する口座に適用する金利として前記勘定系システムに通知する、
処理をコンピュータに実行させることを特徴とする情報処理プログラム。
【請求項８】
通信回線を介して外部のコンピュータと通信可能な１つ以上のサーバ装置を有する情報処理システムにおいて、
前記サーバ装置は、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得する取得部と、
取得した前記補正後金利情報を、前記第１のコンピュータに通知する通知部と、
を有することを特徴とする情報処理システム。
【請求項９】
通信回線を介して外部のコンピュータと通信可能な１つ以上のサーバ装置を有する情報処理システムにおいて、
前記サーバ装置は、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得する取得部と、
取得した前記補正後金利情報を、前記開設要求に応じて開設する口座に適用する金利として前記勘定系システムに通知する通知部と、
を有することを特徴とする情報処理システム。
【発明の詳細な説明】
【技術分野】
【０００１】
本発明は、情報処理方法、情報処理プログラムおよび情報処理システムに関する。
【背景技術】
【０００２】
近年、金融機関では、インターネットバンキング（以下、ＩＢという）による取引が行われている。また、金融機関の預金等の各種商品における金利は、預金の種別、期間、預金額等に応じて決定され、店頭金利として公開されている。ここで、金利は、例えば特定の時期にキャンペーンと称して、店頭金利に優遇金利を上乗せした定期預金等が設定される場合がある。また、開設された口座における取引状況に応じて点数を付与し、予め設定された上乗せ金利または金利アップ率に基づいて、基準金利に合計点数に応じた上乗せ金利を加算、または、金利アップ率を乗算して、預金の金利を決定することが提案されている。
【先行技術文献】
【特許文献】
【０００３】
【特許文献１】特開平１０−２１４２９９号公報
【発明の概要】
【発明が解決しようとする課題】
【０００４】
しかしながら、各商品の金利は、勘定系システム内で金利のマスタ情報として管理されているため、キャンペーンや点数に応じた金利を設定する場合には、勘定系システム内のマスタ情報を変更する必要がある。このため、金利の変更により勘定系システム内の他の処理へ予期せぬ影響が出ないことを十分に確認するための工数が発生し、勘定系システムの管理者の負担が増大する場合がある。
【０００５】
一つの側面では、本発明は、勘定系システムへの影響に配慮して、通信回線を介して開設される口座に対する特別な金利を設定できる情報処理方法、情報処理プログラムおよび情報処理システムを提供することにある。
【課題を解決するための手段】
【０００６】
一つの態様では、情報処理方法は、通信回線を介して外部のコンピュータと通信可能な情報処理システムにおける情報処理方法である。情報処理方法は、第１のコンピュータから前記通信回線を介して特定の種類の口座の指定を受信する処理をコンピュータが実行する。情報処理方法は、前記情報処理システム内の記憶部から金利の補正情報を取得する処理をコンピュータが実行する。情報処理方法は、口座の種類に応じた金利情報を管理する勘定系システムから取得した前記特定の種類の口座に対応する金利情報を、取得した金利の補正情報を用いて補正して得た補正後金利情報を取得する処理をコンピュータが実行する。情報処理方法は、取得した前記補正後金利情報を、前記第１のコンピュータに通知する処理をコンピュータが実行する。
【発明の効果】
【０００７】
勘定系システムへの影響に配慮して、通信回線を介して開設される口座に対する特別な金利を設定できる。
【図面の簡単な説明】
【０００８】
【図１】図１は、実施例の処理システムの構成の一例を示すブロック図である。
【図２】図２は、店頭金利記憶部の一例を示す図である。
【図３】図３は、優遇金利記憶部の一例を示す図である。
【図４】図４は、管理画面の一例を示す図である。
【図５】図５は、商品一覧画面の一例を示す図である。
【図６】図６は、作成画面の一例を示す図である。
【図７】図７は、作成画面の他の一例を示す図である。
【図８】図８は、確認画面の一例を示す図である。
【図９】図９は、完了画面の一例を示す図である。
【図１０】図１０は、元帳記憶部の一例を示す図である。
【図１１】図１１は、実施例の預金処理の一例を示すフローチャートである。
【図１２】図１２は、情報処理プログラムを実行するコンピュータの一例を示す図である。
【発明を実施するための形態】
【０００９】
以下、図面に基づいて、本願の開示する情報処理方法、情報処理プログラムおよび情報処理システムの実施例を詳細に説明する。なお、本実施例により、開示技術が限定されるものではない。また、以下の実施例は、矛盾しない範囲で適宜組みあわせてもよい。
【実施例】
【００１０】
図１は、実施例の処理システムの構成の一例を示すブロック図である。図１に示す処理システム１は、クライアント端末１０と、運用管理端末２０と、情報処理システム２と、勘定系システム３とを有する。情報処理システム２は、１つ以上のＩＢサーバ１００を有する。勘定系システム３は、１つ以上の勘定系サーバ２００を有する。以下の説明では、情報処理システム２の具体例としてＩＢサーバ１００を用いて説明する。また、以下の説明では、勘定系システム３の具体例として勘定系サーバ２００を用いて説明する。
【００１１】
クライアント端末１０およびＩＢサーバ１００の間は、ネットワークＮを介して相互に通信可能に接続される。かかるネットワークＮには、有線または無線を問わず、インターネット（Internet）を始め、ＬＡＮ（Local  Area  Network）やＶＰＮ（Virtual  Private  Network）などの任意の種類の通信網を採用できる。また、運用管理端末２０は、ＩＢサーバ１００と接続される。さらに、ＩＢサーバ１００は、勘定系サーバ２００と接続される。ＩＢサーバ１００、運用管理端末２０および勘定系サーバ２００は、例えば実質的に一つの組織に管理されて運用される。組織の一例として、銀行が挙げられる。ＩＢサーバ１００と運用管理端末２０および勘定系サーバ２００との間は、例えば、組織の外部との通信が遮断されたイントラネット（Intranet）を始め、ＬＡＮやＶＰＮなどの任意の種類の通信網を採用できる。
【００１２】
図１に示す情報処理システム２のＩＢサーバ１００は、例えば、通信回線であるネットワークＮを介して、外部のコンピュータであるクライアント端末１０と通信可能である。ＩＢサーバ１００は、クライアント端末１０からネットワークＮを介して特定の種類の口座の指定を受信する。ＩＢサーバ１００は、特定の種類の口座の指定を受信すると、口座の種類に応じた金利情報を管理する勘定系システム３の勘定系サーバ２００から、特定の種類の口座に対応する金利情報を取得する。ＩＢサーバ１００は、ＩＢサーバ１００内の記憶部に金利の補正情報を記憶し、特定の種類の口座に対応する金利情報を、記憶部から取得した金利の補正情報を用いて補正して補正後金利情報を取得する。ＩＢサーバ１００は、取得した補正後金利情報を、クライアント端末１０に通知する。これにより、ＩＢサーバ１００は、勘定系システム３に影響を与えずに、ＩＢの顧客、すなわち、クライアント端末１０を操作するユーザがＩＢ経由で開設した口座に対して優遇された金利を設定できる。
【００１３】
クライアント端末１０は、例えば、ＩＢの顧客、すなわちユーザが用いるコンピュータである。クライアント端末１０は、ＩＢサーバ１００から受信したＩＢの各種画面等を表示させて、ユーザに提示する。クライアント端末１０は、ＩＢの各種画面等の表示および操作について、例えば、Ｗｅｂブラウザを用いることができる。クライアント端末１０は、商品一覧画面の要求、商品選択情報、作成画面での入力結果、確認情報等をＩＢサーバ１００に送信する。クライアント端末１０の一例としては、可搬型のパーソナルコンピュータを採用できる。クライアント端末１０には、上記のパーソナルコンピュータ等の可搬型の端末のみならず、据置型のパーソナルコンピュータをクライアント端末１０として採用することもできる。また、クライアント端末１０は、可搬型の端末としては、上記のパーソナルコンピュータの他にも、例えば、タブレット端末、スマートフォンや携帯電話機等の移動体通信端末等を採用することもできる。
【００１４】
運用管理端末２０は、例えば、金融機関におけるＩＢの運用管理者が用いるコンピュータである。運用管理端末２０は、ＩＢサーバ１００から受信した管理画面等を表示させて、運用管理者に提示する。運用管理端末２０は、管理画面等の表示および操作について、例えば、Ｗｅｂブラウザを用いることができる。運用管理端末２０は、管理情報等をＩＢサーバ１００に送信する。運用管理端末２０の一例としては、据置型のパーソナルコンピュータを採用できる。運用管理端末２０には、上記のパーソナルコンピュータ等の据置型の端末のみならず、可搬型のパーソナルコンピュータを運用管理端末２０として採用することもできる。また、運用管理端末２０は、可搬型の端末としては、上記の可搬型のパーソナルコンピュータの他にも、例えば、タブレット端末、スマートフォンや携帯電話機等の移動体通信端末等を採用することもできる。
【００１５】
次に、ＩＢサーバ１００の構成について説明する。図１に示すように、ＩＢサーバ１００は、第１通信部１１０と、第２通信部１１１と、記憶部１２０と、制御部１３０とを有する。なお、ＩＢサーバ１００は、図１に示す機能部以外にも既知のコンピュータが有する各種の機能部、例えば各種の入力デバイスや音声出力デバイス等の機能部を有することとしてもかまわない。
【００１６】
第１通信部１１０は、例えば、ＮＩＣ（Network  Interface  Card）等によって実現される。第１通信部１１０は、ネットワークＮを介してクライアント端末１０と有線または無線で接続され、クライアント端末１０との間で情報の通信を司る通信インタフェースである。第１通信部１１０は、クライアント端末１０から商品一覧画面の要求、商品選択情報、作成画面での入力結果、および、確認情報を受信する。第１通信部１１０は、受信した商品一覧画面の要求、商品選択情報、作成画面での入力結果、および、確認情報を制御部１３０に出力する。また、第１通信部１１０は、制御部１３０から入力された商品一覧画面、作成画面、確認画面および完了画面をクライアント端末１０に送信する。
【００１７】
第２通信部１１１は、例えば、ＮＩＣ等によって実現される。第２通信部１１１は、運用管理端末２０および勘定系サーバ２００と有線または無線で接続され、運用管理端末２０および勘定系サーバ２００との間で情報の通信を司る通信インタフェースである。第２通信部１１１は、制御部１３０から入力された管理画面を運用管理端末２０に送信する。また、第２通信部１１１は、運用管理端末２０から管理情報を受信し、受信した管理情報を制御部１３０に出力する。さらに、第２通信部１１１は、制御部１３０から入力された店頭金利取得要求および取引商品情報を勘定系サーバ２００に送信する。また、第２通信部１１１は、勘定系サーバ２００から店頭金利情報および完了情報を受信し、受信した店頭金利情報および完了情報を制御部１３０に出力する。
【００１８】
記憶部１２０は、例えば、ＲＡＭ（Random  Access  Memory）、フラッシュメモリ（Flash  Memory）等の半導体メモリ素子、ハードディスクや光ディスク等の記憶装置によって実現される。記憶部１２０は、店頭金利記憶部１２１と、優遇金利記憶部１２２とを有する。また、記憶部１２０は、制御部１３０での処理に用いる情報を記憶する。
【００１９】
店頭金利記憶部１２１は、勘定系サーバ２００から取得した店頭金利を記憶する。図２は、店頭金利記憶部の一例を示す図である。図２に示すように、店頭金利記憶部１２１は、「商品ＩＤ」、「商品名」、「預入金額」、「期間」、「金利」といった項目を有する。店頭金利記憶部１２１は、例えば、１つの商品ごとに１レコードとして記憶する。
【００２０】
「商品ＩＤ」は、商品を識別する。「商品名」は、金融商品の商品名を示し、例えば、スーパー定期預金等が挙げられる。「預入金額」は、当該商品に対して預入可能な金額の範囲を示す。預入金額は、例えば、１０万円以上３００万円未満といった範囲である。「期間」は、商品の預入期間を示し、例えば、３ヶ月、６ヶ月、１年といった期間である。「金利」は、商品の金利を示し、例えば、年利率、税引前の金利である。図２の５行目の例では、預入金額が１０万円以上３００万円未満、期間が１年のスーパー定期預金は、金利が０．０２５％であることを示す。
【００２１】
図１の説明に戻って、優遇金利記憶部１２２は、ＩＢ経由の取引に対する優遇金利を記憶する。図３は、優遇金利記憶部の一例を示す図である。図３に示すように、優遇金利記憶部１２２は、「金利ＩＤ」、「優遇種別」、「適用商品ＩＤ」、「適用開始年月日」、「適用終了年月日」、「優遇金利」といった項目を有する。優遇金利記憶部１２２は、例えば、金利ＩＤごとに１レコードとして記憶する。
【００２２】
「金利ＩＤ」は、優遇金利を識別する。「優遇種別」は、金利を優遇する種別、例えば、ＩＢ経由、キャンペーン等を示す。「適用商品ＩＤ」は、優遇金利を適用する商品ＩＤを示す。「適用開始年月日」は、優遇金利の適用開始年月日を示す。「適用終了年月日」は、優遇金利の適用終了年月日を示す。「優遇金利」は、店頭金利に加算する優遇金利を示す。すなわち、優遇金利は、店頭金利を補正する金利の補正情報である。図３の１行目の例では、商品ＩＤ「００１」〜「００８」の商品について、２０１３年２月１日から２０１３年２月２８日までにＩＢ経由で取引された場合に、店頭金利に優遇金利０．０１％を加算することを示す。
【００２３】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。制御部１３０は、受付部１３１と、取得部１３２と、通知部１３３とを有し、以下に説明する情報処理の機能や作用を実現または実行する。なお、制御部１３０の内部構成は、図１に示した構成に限られず、後述する情報処理を行う構成であれば他の構成であってもよい。
【００２４】
受付部１３１は、クライアント端末１０からＩＢのログインを受け付ける。受付部１３１は、ログイン後にＩＢの初期画面を第１通信部１１０およびネットワークＮを介して、クライアント端末１０に送信する。受付部１３１は、ネットワークＮおよび第１通信部１１０を介して、ユーザによる初期画面の操作を受けたクライアント端末１０から商品一覧画面の要求を受信する。受付部１３１は、受信した商品一覧画面の要求を取得部１３２に出力する。ここで、商品一覧画面の要求は、例えば、特定の種類の口座の指定をする、すなわち定期預金口座の指定をするものである。
【００２５】
また、受付部１３１は、運用管理端末２０から管理画面のリクエストを受け付けると、第２通信部１１１を介して、管理画面を運用管理端末２０に送信する。受付部１３１は、管理画面上で入力された優遇金利の設定値等の管理情報を受信すると、優遇金利記憶部１２２に記憶する。なお、管理情報は、優遇金利の設定値の他にも、優遇種別、適用開始年月日、適用終了年月日等を含んでもよい。すなわち、管理画面は、優遇金利記憶部１２２に記憶される各項目が入力可能である。
【００２６】
ここで、図４を用いて管理画面の一例について説明する。図４は、管理画面の一例を示す図である。図４に示すように、管理画面３１は、例えば、定期預金商品への優遇金利を管理する画面である。管理画面３１は、例えば、ＩＢの優遇金利とキャンペーンの優遇金利とについて、適用期間欄、現設定値欄および新設定値欄が表示される。また、管理画面３１には、新設定値を適用するための更新ボタンが表示される。運用管理端末２０を操作する運用管理者は、例えばＩＢ優遇金利のうち、適用開始年月日が２０１３年３月１日、適用終了年月日が２０１３年３月３１日の優遇金利を変更する場合には、新設定値の入力欄３２に新しい優遇金利を入力し、更新ボタン３３を押下する。運用管理端末２０は、入力された優遇金利の設定値を含む管理情報をＩＢサーバ１００に送信する。ＩＢサーバ１００の受付部１３１は、管理情報を受信すると、管理情報に含まれる新しい優遇金利の設定値を、優遇金利記憶部１２２の対応するレコードに記憶する。図３および図４の例では、優遇金利記憶部１２２は、金利ＩＤ「００２」の優遇金利「+０．０１％」が、図４の入力欄３２に入力された新しい優遇金利に更新される。
【００２７】
図１の説明に戻って、取得部１３２は、例えば、１日１回、第２通信部１１１を介して、勘定系サーバ２００から店頭金利情報を取得する。取得部１３２は、例えば、毎日８時に店頭金利取得要求を勘定系サーバ２００に送信し、勘定系サーバ２００から当日の店頭金利情報を取得する。取得部１３２は、取得した店頭金利情報を店頭金利記憶部１２１に記憶する。
【００２８】
取得部１３２は、受付部１３１から商品一覧画面の要求が入力されると、店頭金利記憶部１２１および優遇金利記憶部１２２を参照し、勘定系サーバ２００から取得した各商品の店頭金利に、優遇金利を加算して補正した補正後金利情報を取得する。取得部１３２は、店頭金利記憶部１２１の各商品の情報、および、取得した補正後金利情報に基づいて、補正後金利情報を反映した商品一覧画面を生成する。取得部１３２は、生成した商品一覧画面を通知部１３３に出力する。
【００２９】
通知部１３３は、取得部１３２から商品一覧画面が入力されると、商品一覧画面を第１通信部１１０およびネットワークＮを介してクライアント端末１０に送信する。すなわち、通知部１３３は、補正後金利情報をクライアント端末１０に通知する。ここで、図５を用いて商品一覧画面について説明する。図５は、商品一覧画面の一例を示す図である。図５に示すように、商品一覧画面４１は、例えば、定期預金商品の一覧を示し、商品、預入金額、期間および金利が表示される。また、各商品には、作成ボタン４２ａ、４２ｂ、４２ｃが設けられる。
【００３０】
通知部１３３は、クライアント端末１０から商品選択情報を受信する。図５の例では、通知部１３３は、クライアント端末１０に表示された商品一覧画面４１において、作成ボタン４２ａ、４２ｂ、４２ｃのうち、いずれか１つが押下されると、対応する商品選択情報をクライアント端末１０から受信する。通知部１３３は、クライアント端末１０から商品選択情報を受信すると、選択された商品の作成画面を生成する。通知部１３３は、生成した作成画面を第１通信部１１０およびネットワークＮを介してクライアント端末１０に送信する。
【００３１】
ここで、図６を用いて作成画面の一例を説明する。図６は、作成画面の一例を示す図である。図６の作成画面４３は、図５の商品一覧画面４１の作成ボタン４２ｂが押下された、すなわち、１０万円以上３００万円未満のスーパー定期預金が選択された場合における作成画面である。作成画面４３は、例えば、預入期間選択欄４４、預入金額欄４５、作成口座欄４６、次へボタン４７、リセットボタン４８および戻るボタン４９といった項目を有する。作成画面４３では、ユーザにより預入期間、預入金額、作成口座が入力される。図７は、作成画面の他の一例を示す図である。図７に示すように、作成画面４３では、例えば、預入期間「１年」に対応するラジオボタン４４ａが選択され、預入金額欄４５に「３００５００」が入力され、出金口座「１１１−本店」に対応するラジオボタン４６ａが選択される。
【００３２】
通知部１３３は、ネットワークＮおよび第１通信部１１０を介して、クライアント端末１０から作成画面での入力結果を受信する。図７の例では、通知部１３３は、作成画面４３の次へボタン４７が押下されると、クライアント端末１０から作成画面４３での入力結果、すなわち、預入期間「１年」、預入金額「３００５００」、出金口座「１１１−本店」を受信する。なお、作成画面４３では、リセットボタン４８が押下されると、ラジオボタンの選択および入力された預入金額が消去され、戻るボタン４９が押下されると、商品一覧画面、例えば、図５の商品一覧画面４１に戻る。
【００３３】
通知部１３３は、作成画面での入力結果を受信すると確認画面を生成し、生成した確認画面を第１通信部１１０およびネットワークＮを介してクライアント端末１０に送信する。図８は、確認画面の一例を示す図である。図８に示すように、確認画面５１は、例えば、取引区分、商品名、取引店、口座番号、預入金額、期間、金利、満期の取扱、利息の取扱、課税方式、出金口座、処理日といった項目を有する。また、確認画面５１は、例えば、確認用チェックボックス５２、作成ボタン５３、キャンセルボタン５４、戻るボタン５５といった項目を有する。確認画面５１では、ユーザにより確認用チェックボックス５２にチェックが入力される。なお、確認画面５１では、預入金額について確認しやすいように、漢数字を含む表示、例えば「３０万５００円」と、アラビア数字で表現した表示、例えば「３００，５００円」の双方を含む表示とすることができる。また、確認画面は、例えば、定期預金が自動継続される場合であっても同様に、漢数字を含む表示と、アラビア数字で表現した表示の双方を含む表示とすることができる。
【００３４】
通知部１３３は、ネットワークＮおよび第１通信部１１０を介して、クライアント端末１０から確認情報を受信する。図８の例では、通知部１３３は、確認画面５１の作成ボタン５３が押下されると、クライアント端末１０から確認情報を受信する。なお、確認画面５１では、確認用チェックボックス５２にチェックが入力されないと、作成ボタン５３は押下できないものとする。すなわち、確認用チェックボックス５２は、補正後金利情報に対する同意を示す応答である。また、確認画面５１では、キャンセルボタン５４が押下されると、商品一覧画面、例えば、図５の商品一覧画面４１に戻り、戻るボタン５５が押下されると、作成画面、例えば、図７の作成画面４３に戻る。
【００３５】
通知部１３３は、クライアント端末１０から確認情報を受信すると、補正後金利情報を適用金利とし、適用金利と入力結果とに基づいて取引商品情報を生成する。なお、取引商品情報には、クライアント端末１０を操作するユーザ、つまり顧客を特定可能な顧客番号も含まれる。通知部１３３は、生成した取引商品情報を、第２通信部１１１を介して勘定系サーバ２００に送信する。通知部１３３は、勘定系サーバ２００から完了情報を受信する。通知部１３３は、完了情報を受信すると完了画面を生成し、生成した完了画面をネットワークＮおよび第１通信部１１０を介してクライアント端末１０に送信する。図９は、完了画面の一例を示す図である。図９に示すように、完了画面５６は、例えば、受付日時、受付番号、取引区分、取引状況といった項目を有する。また、完了画面５６は、例えば、取引内容として、商品名、取引店、口座番号、預入金額、期間、金利、満期の取扱、利息の取扱、課税方式、出金口座といった項目を有する。
【００３６】
続いて、勘定系サーバ２００の構成について説明する。図１に示すように、勘定系サーバ２００は、通信部２１０と、記憶部２２０と、制御部２３０とを有する。なお、勘定系サーバ２００は、図１に示す機能部以外にも既知のコンピュータが有する各種の機能部、例えば各種の入力デバイスや音声出力デバイス等の機能部を有することとしてもかまわない。また、勘定系サーバ２００は、口座の種類に応じた金利情報を管理する。
【００３７】
勘定系サーバ２００は、例えば、元帳記憶部２２２に記憶されている各口座の情報に基づいて、利息の計算を行なったり、満期の管理を行なったりする。ここで、口座に対してキャンペーンや点数に応じた優遇金利を設定する場合、従来は、勘定系サーバ２００に対する様々な処理追加が必要であった。例えば従来は、勘定系サーバ２００の店頭金利記憶部２２１に優遇金利の商品や優遇金利値を登録する処理や、口座を開設する際に、制御部２３０に、キャンペーンを適用すべきか否か、点数が所定の条件を満たしているか否かなどの取引条件を判定し、判定結果に応じて、店頭金利記憶部２２１の中から参照する情報を選択する処理を追加して実行させる必要があった。
【００３８】
通信部２１０は、例えば、ＮＩＣ等によって実現される。通信部２１０は、ＩＢサーバ１００と有線で接続され、ＩＢサーバ１００との間で情報の通信を司る通信インタフェースである。通信部２１０は、ＩＢサーバ１００から店頭金利取得要求および取引商品情報を受信する。通信部２１０は、受信した店頭金利取得要求および取引商品情報を制御部２３０に出力する。また、通信部２１０は、制御部２３０から入力された店頭金利情報および完了情報をＩＢサーバ１００に送信する。
【００３９】
記憶部２２０は、例えば、ＲＡＭ、フラッシュメモリ等の半導体メモリ素子、ハードディスクや光ディスク等の記憶装置によって実現される。記憶部２２０は、店頭金利記憶部２２１と、元帳記憶部２２２とを有する。また、記憶部２２０は、制御部２３０での処理に用いる情報を記憶する。
【００４０】
店頭金利記憶部２２１は、金融機関で決定された店頭金利を記憶する。店頭金利記憶部２２１の各項目は、ＩＢサーバ１００の店頭金利記憶部１２１と同一であるので、その説明を省略する。
【００４１】
元帳記憶部２２２は、顧客の取引に関する情報、例えば、普通預金口座、定期預金口座等の情報を記憶する。元帳記憶部２２２は、例えば、ＣＩＦ（Customer  Information  File：顧客情報ファイル）を用いて、取引のある顧客の情報と、顧客が保有する口座の情報とを営業店ごとに一元管理する。元帳記憶部２２２は、例えば、ＣＩＦ内に、ＣＩＲ（Customer  Information  Record：顧客情報レコード）と、ＭＲ（Master  Record：口座情報レコード）とを有する。ＣＩＲは、顧客の氏名、住所、電話番号等の情報を記憶する。ＭＲは、口座番号、残高等を記憶する。
【００４２】
図１０は、元帳記憶部の一例を示す図である。図１０の元帳記憶部２２２は、説明のために、ある顧客のＭＲを抜き出して、商品ごとに１レコードとして表現したものである。図１０に示すように、元帳記憶部２２２は、「顧客番号」、「商品名」、「取引店」、「口座番号」、「預入金額」、「期間」、「金利」、「満期の取扱」、「利息の取扱」、「課税方式」、「預入日」、「満期日」といった項目を有する。
【００４３】
「顧客番号」は、顧客を識別する。「商品名」は、金融商品の商品名を示し、例えば、スーパー定期預金等が挙げられる。「取引店」は、商品が取引された営業店を示す。「口座番号」は、商品の口座番号を示す。「預入金額」は、商品の預入金額、すなわち残高を示す。「期間」は、商品の預入期間を示す。「金利」は、商品の金利を示し、例えば、年利率、税引前の金利である。「満期の取扱」は、商品が預入期間を経過して満期となった場合の商品の取扱を示す。満期の取扱は、例えば、自動継続、解約等がある。
【００４４】
「利息の取扱」は、商品が預入期間を経過して満期となった場合の利息の取扱を示す。利息の取扱は、例えば、満期の取扱が自動継続である場合には、元利継続、元本継続等が挙げられる。なお、元利継続は、例えば、利息を元金に組み入れて新たな定期預金を自動継続にて契約する場合を指し、元本継続は、例えば、利息を普通預金口座に入金し、元金のみで新たな定期預金を自動継続にて契約する場合を指す。また、利息の取扱は、普通預金の場合には、所定日に入金とし、例えば２月と８月の所定日に半年分の利息が入金されるものとする。「課税方式」は、商品の利息にかかる所得税の課税方式を示し、例えば、定期預金の場合には、源泉分離課税となり金融機関が所得税を源泉徴収する。また、課税方式は、例えば、上場株式等の配当等の場合には、申告分離課税となる。「預入日」は、商品を預け入れた日、または、普通預金口座の口座開設日を示す。「満期日」は、預入期間のある商品の満期日を示す。
【００４５】
図１０の２行目の例では、顧客番号「１１１Ｕ００１」の顧客について、商品名「スーパー定期預金」の口座が、取引店「１１１−本店」に口座番号「１２３４５６７−１０１」で開設され、「３，０００，０００」円が期間「１年」で預け入れられている。また、当該スーパー定期預金は、金利が「０．０２６％」、満期の取扱が「自動継続」、利息の取扱が「元利継続」、課税方式が「源泉分離課税」、預入日が「２０１３年３月１日」、満期日が「２０１４年３月１日」となっている。
【００４６】
図１の説明に戻って、制御部２３０は、例えば、ＣＰＵやＭＰＵ等によって、内部の記憶装置に記憶されているプログラムがＲＡＭを作業領域として実行されることにより実現される。また、制御部２３０は、例えば、ＡＳＩＣやＦＰＧＡ等の集積回路により実現されるようにしてもよい。制御部２３０は、受付部２３１を有し、以下に説明する情報処理の機能や作用を実現または実行する。なお、制御部２３０の内部構成は、図１に示した構成に限られず、後述する情報処理を行う構成であれば他の構成であってもよい。
【００４７】
受付部２３１は、通信部２１０を介して、ＩＢサーバ１００から店頭金利取得要求を受信すると、店頭金利記憶部２２１から店頭金利情報を取得する。受付部２３１は、取得した店頭金利情報を、通信部２１０を介してＩＢサーバ１００に送信する。また、受付部２３１は、通信部２１０を介して、ＩＢサーバ１００から取引商品情報を受信すると、受信した取引商品情報を元帳記憶部２２２に記憶する。すなわち、受付部２３１は、取引商品情報に基づいて、特定の種類の口座を補正後金利で開設する。受付部２３１は、取引商品情報を元帳記憶部２２２に記憶すると、取引の内容を示す完了情報を、通信部２１０を介してＩＢサーバ１００に送信する。
【００４８】
次に、実施例の処理システム１の動作について説明する。図１１は、実施例の預金処理の一例を示すフローチャートである。ＩＢサーバ１００の受付部１３１は、クライアント端末１０からＩＢのログインを受け付け、ＩＢの初期画面をクライアント端末１０に送信する。受付部１３１は、ユーザによる初期画面の操作に基づいて、クライアント端末１０から商品一覧画面の要求を受信する（ステップＳ１）。受付部１３１は、受信した商品一覧画面の要求を取得部１３２に出力する。
【００４９】
取得部１３２は、受付部１３１から商品一覧画面の要求が入力されると、店頭金利記憶部１２１および優遇金利記憶部１２２を参照し、勘定系サーバ２００から取得した各商品の店頭金利に、優遇金利を加算して補正した補正後金利情報を取得する（ステップＳ２）。取得部１３２は、店頭金利記憶部１２１の各商品の情報、および、取得した補正後金利情報に基づいて、補正後金利情報を反映した商品一覧画面を生成する（ステップＳ３）。取得部１３２は、生成した商品一覧画面を通知部１３３に出力する。通知部１３３は、取得部１３２から商品一覧画面が入力されると、商品一覧画面をクライアント端末１０に送信する（ステップＳ４）。
【００５０】
通知部１３３は、クライアント端末１０から商品選択情報を受信する（ステップＳ５）。通知部１３３は、クライアント端末１０から商品選択情報を受信すると、選択された商品の作成画面を生成する。通知部１３３は、生成した作成画面をクライアント端末１０に送信する（ステップＳ６）。
【００５１】
通知部１３３は、クライアント端末１０から作成画面での入力結果を受信する（ステップＳ７）。通知部１３３は、作成画面での入力結果を受信すると確認画面を生成し、クライアント端末１０に送信する（ステップＳ８）。通知部１３３は、クライアント端末１０から確認情報を受信する。通知部１３３は、クライアント端末１０から確認情報を受信すると、補正後金利情報を適用金利とし、適用金利と入力結果とに基づいて取引商品情報を生成する。通知部１３３は、生成した取引商品情報を、勘定系サーバ２００に送信する（ステップＳ９）。
【００５２】
勘定系サーバ２００の受付部２３１は、ＩＢサーバ１００から取引商品情報を受信すると、受信した取引商品情報を元帳記憶部２２２に記憶する。受付部２３１は、取引商品情報を元帳記憶部２２２に記憶すると、取引の内容を示す完了情報を、ＩＢサーバ１００に送信する。ＩＢサーバ１００の通知部１３３は、勘定系サーバ２００から完了情報を受信する（ステップＳ１０）。通知部１３３は、完了情報を受信すると、完了画面を生成し、生成した完了画面をクライアント端末１０に送信する（ステップＳ１１）。これにより、処理システム１は、ＩＢサーバ１００で優遇金利を加算した補正後金利を適用して預金口座を開設する情報を勘定系サーバ２００に送信する。従って、勘定系システム３に影響を与えずに、ＩＢ経由で開設された口座に対して優遇された金利を設定できる。
【００５３】
なお、上記実施例では、ＩＢの顧客が開設する特定の種類の口座として、定期預金を一例として説明したが、これに限定されない。例えば、特定の種類の口座は、外貨預金、投資信託、貯蓄預金等であってもよい。
【００５４】
また、上記実施例では、ＩＢサーバ１００は、クライアント端末１０から確認情報を受信すると、ただちに取引商品情報を生成して勘定系サーバ２００に送信したが、これに限定されない。ＩＢサーバ１００は、例えば、取引商品情報を生成後、クライアント端末１０に取引の予約画面を返信し、取引商品情報を所定のタイミングで勘定系サーバ２００に送信するようにしてもよい。すなわち、ＩＢサーバ１００は、１日１回等の所定のタイミングでバッチ処理を行って、ＩＢサーバ１００内に一時的に記憶した取引商品情報を纏めて勘定系サーバ２００に送信する。これにより、処理システム１は、勘定系サーバ２００が運用停止中であっても、ＩＢサービスを提供することができる。
【００５５】
また、上記実施例では、ＩＢ経由の取引を、店頭での取引より優遇したが、これに限定されない。例えば、ＩＢ経由の取引のうち、取引実績の多い顧客に対して、さらに優遇した金利を提供するようにしてもよい。これにより、ＩＢサーバ１００内で柔軟に優遇の内容を変更することができる。
【００５６】
このように、ＩＢサーバ１００は、通信回線を介して外部のコンピュータと通信可能であり、第１のコンピュータから通信回線を介して特定の種類の口座の指定を受信する。また、ＩＢサーバ１００は、口座の種類に応じた金利情報を管理する勘定系システムから取得した特定の種類の口座に対応する金利情報を、ＩＢサーバ１００内の記憶部１２０から取得した金利の補正情報を用いて補正して得た補正後金利情報を取得する。また、ＩＢサーバ１００は、取得した補正後金利情報を、第１のコンピュータに通知する。その結果、勘定系システムに影響を与えずに、ＩＢ経由で開設された口座に対して優遇された金利を設定できる。また、優遇された金利の設定や変更に関する処理をＩＢサーバ１００で行なうので、勘定系サーバ２００の負荷を軽減できる。
【００５７】
また、ＩＢサーバ１００は、さらに、第１のコンピュータから、補正後金利情報に対する同意を示す応答を受信する。また、ＩＢサーバ１００は、第１のコンピュータから受信したユーザを特定可能な情報により示されるユーザの情報と対応付けて、特定の種類の口座を、補正後金利で開設する情報を、勘定系システム３へ送信する。その結果、ＩＢ経由で開設された口座に対して優遇金利を適用することができる。
【００５８】
また、ＩＢサーバ１００は、第１のコンピュータから、特定の種類の口座への入金額の指定を受信すると、受信した入金額を漢数字で表現した表示と、アラビア数字で表現した表示の双方を含む画面情報を第１のコンピュータに送信する。その結果、顧客であるユーザに対して、金額の確認を容易にさせることができる。
【００５９】
また、ＩＢサーバ１００が受信する特定の種類の口座は、定期預金口座である。その結果、顧客であるユーザに対して、優遇金利が適用された定期預金を提供できる。
【００６０】
また、ＩＢサーバ１００は、通信回線を介して外部のコンピュータと通信可能であり、第１のコンピュータから通信回線を介して特定の種類の口座の開設要求を受信する。また、ＩＢサーバ１００は、口座の種類に応じた金利情報を管理する勘定系システム３から取得した特定の種類の口座に対応する金利情報を、ＩＢサーバ１００内の記憶部１２０から取得した金利の補正情報を用いて補正して得た補正後金利情報を取得する。また、ＩＢサーバ１００は、取得した補正後金利情報を、開設要求に応じて開設する口座に適用する金利として勘定系サーバ２００に通知する。その結果、ＩＢ経由で開設された口座に対して優遇金利を適用することができる。
【００６１】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、通知部１３３を、商品一覧画面を用いて補正後金利情報を通知する通知部と、商品選択情報、および、補正後金利情報に対する同意を示す応答を受信する受信部と、商品の作成、確認等を行う取引部に分割してもよい。
【００６２】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００６３】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１２は、情報処理プログラムを実行するコンピュータの一例を示す図である。
【００６４】
図１２が示すように、コンピュータ３００は、各種演算処理を実行するＣＰＵ３０１と、データ入力を受け付ける入力装置３０２と、モニタ３０３とを有する。また、コンピュータ３００は、記憶媒体からプログラム等を読み取る媒体読取装置３０４と、各種装置と接続するためのインタフェース装置３０５と、他の情報処理装置等と有線または無線により接続するための通信装置３０６とを有する。また、コンピュータ３００は、各種情報を一時記憶するＲＡＭ３０７と、ハードディスク装置３０８とを有する。また、各装置３０１〜３０８は、バス３０９に接続される。
【００６５】
ハードディスク装置３０８には、図１に示した受付部１３１、取得部１３２および通知部１３３の各処理部と同様の機能を有する情報処理プログラムが記憶される。また、ハードディスク装置３０８には、店頭金利記憶部１２１、優遇金利記憶部１２２、および、情報処理プログラムを実現するための各種データが記憶される。入力装置３０２は、例えば、コンピュータ３００の管理者から管理情報等の各種情報の入力を受け付ける。モニタ３０３は、例えば、コンピュータ３００の管理者に対して管理情報の画面や各種画面を表示する。インタフェース装置３０５は、例えば印刷装置等が接続される。通信装置３０６は、例えば、図１に示した第１通信部１１０と同様の機能を有しネットワークＮと接続される。また、通信装置３０６は、第２通信部１１１と同様の機能を有し勘定系サーバ２００と接続される。通信装置３０６は、クライアント端末１０、運用管理端末２０、勘定系サーバ２００や他の装置と各種情報をやりとりする。
【００６６】
ＣＰＵ３０１は、ハードディスク装置３０８に記憶された各プログラムを読み出して、ＲＡＭ３０７に展開して実行することで、各種の処理を行う。また、これらのプログラムは、コンピュータ３００を図１に示した受付部１３１、取得部１３２および通知部１３３として機能させることができる。
【００６７】
なお、上記の情報処理プログラムは、必ずしもハードディスク装置３０８に記憶されている必要はない。例えば、コンピュータ３００が読み取り可能な記憶媒体に記憶されたプログラムを、コンピュータ３００が読み出して実行するようにしてもよい。コンピュータ３００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの情報処理プログラムを記憶させておき、コンピュータ３００がこれらから情報処理プログラムを読み出して実行するようにしてもよい。
【００６８】
以上、本実施例を含む実施の形態に関し、さらに以下の付記を開示する。
【００６９】
（付記１）通信回線を介して外部のコンピュータと通信可能な情報処理システムにおける情報処理方法において、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記第１のコンピュータに通知する、
処理をコンピュータが実行することを特徴とする情報処理方法。
【００７０】
（付記２）さらに、前記第１のコンピュータから、前記補正後金利情報に対する同意を示す応答を受信し、
前記第１のコンピュータから受信したユーザを特定可能な情報により示されるユーザの情報と対応付けて、前記特定の種類の口座を、補正後金利で開設する情報を、前記勘定系システムへ送信することを特徴とする付記１に記載の情報処理方法。
【００７１】
（付記３）前記第１のコンピュータから、前記特定の種類の口座への入金額の指定を受信すると、受信した前記入金額を漢数字で表現した表示と、アラビア数字で表現した表示の双方を含む画面情報を前記第１のコンピュータに送信することを特徴とする付記１または２に記載の情報処理方法。
【００７２】
（付記４）前記特定の種類の口座は、定期預金口座であることを特徴とする付記１〜３のいずれか１つに記載の情報処理方法。
【００７３】
（付記５）通信回線を介して外部のコンピュータと通信可能な情報処理システムにおける情報処理方法において、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記開設要求に応じて開設する口座に適用する金利として前記勘定系システムに通知する、
処理をコンピュータが実行することを特徴とする情報処理方法。
【００７４】
（付記６）通信回線を介して外部のコンピュータと通信可能な情報処理システムにおける情報処理プログラムにおいて、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記第１のコンピュータに通知する、
処理をコンピュータに実行させることを特徴とする情報処理プログラム。
【００７５】
（付記７）さらに、前記第１のコンピュータから、前記補正後金利情報に対する同意を示す応答を受信し、
前記第１のコンピュータから受信したユーザを特定可能な情報により示されるユーザの情報と対応付けて、前記特定の種類の口座を、補正後金利で開設する情報を、前記勘定系システムへ送信することを特徴とする付記６に記載の情報処理プログラム。
【００７６】
（付記８）前記第１のコンピュータから、前記特定の種類の口座への入金額の指定を受信すると、受信した前記入金額を漢数字で表現した表示と、アラビア数字で表現した表示の双方を含む画面情報を前記第１のコンピュータに送信することを特徴とする付記６または７に記載の情報処理プログラム。
【００７７】
（付記９）前記特定の種類の口座は、定期預金口座であることを特徴とする付記６〜８のいずれか１つに記載の情報処理プログラム。
【００７８】
（付記１０）通信回線を介して外部のコンピュータと通信可能な情報処理システムにおける情報処理プログラムにおいて、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得し、
取得した前記補正後金利情報を、前記開設要求に応じて開設する口座に適用する金利として前記勘定系システムに通知する、
処理をコンピュータに実行させることを特徴とする情報処理プログラム。
【００７９】
（付記１１）通信回線を介して外部のコンピュータと通信可能な１つ以上のサーバ装置を有する情報処理システムにおいて、
前記サーバ装置は、
第１のコンピュータから前記通信回線を介して特定の種類の口座の指定を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得する取得部と、
取得した前記補正後金利情報を、前記第１のコンピュータに通知する通知部と、
を有することを特徴とする情報処理システム。
【００８０】
（付記１２）前記サーバ装置は、
さらに、前記第１のコンピュータから、前記補正後金利情報に対する同意を示す応答を受信する受信部と、
前記第１のコンピュータから受信したユーザを特定可能な情報により示されるユーザの情報と対応付けて、前記特定の種類の口座を、補正後金利で開設する情報を、前記勘定系システムへ送信する取引部と、
を有することを特徴とする付記１１に記載の情報処理システム。
【００８１】
（付記１３）前記通知部は、前記第１のコンピュータから、前記特定の種類の口座への入金額の指定を受信すると、受信した前記入金額を漢数字で表現した表示と、アラビア数字で表現した表示の双方を含む画面情報を前記第１のコンピュータに送信することを特徴とする付記１１または１２に記載の情報処理システム。
【００８２】
（付記１４）前記特定の種類の口座は、定期預金口座であることを特徴とする付記１１〜１３のいずれか１つに記載の情報処理システム。
【００８３】
（付記１５）通信回線を介して外部のコンピュータと通信可能な１つ以上のサーバ装置を有する情報処理システムにおいて、
前記サーバ装置は、
第１のコンピュータから前記通信回線を介して特定の種類の口座の開設要求を受信すると、口座の種類に応じた金利情報を管理する勘定系システムから取得した前記特定の種類の口座に対応する金利情報を前記情報処理システム内の記憶部から取得した金利の補正情報を用いて補正して得た補正後金利情報を取得する取得部と、
取得した前記補正後金利情報を、前記開設要求に応じて開設する口座に適用する金利として前記勘定系システムに通知する通知部と、
を有することを特徴とする情報処理システム。
【符号の説明】
【００８４】
１  処理システム
２  情報処理システム
３  勘定系システム
１０  クライアント端末
２０  運用管理端末
１００  ＩＢサーバ
１１０  第１通信部
１１１  第２通信部
１２０  記憶部
１２１  店頭金利記憶部
１２２  優遇金利記憶部
１３０  制御部
１３１  受付部
１３２  取得部
１３３  通知部
２００  勘定系サーバ
２１０  通信部
２２０  記憶部
２２１  店頭金利記憶部
２２２  元帳記憶部
２３０  制御部
２３１  受付部
Ｎ  ネットワーク
【図１】
0006455146.tif 000002
【図２】
0006455146.tif 000003
【図３】
0006455146.tif 000004
【図４】
0006455146.tif 000005
【図５】
0006455146.tif 000006
【図６】
0006455146.tif 000007
【図７】
0006455146.tif 000008
【図８】
0006455146.tif 000009
【図９】
0006455146.tif 000010
【図１０】
0006455146.tif 000011
【図１１】
0006455146.tif 000012
【図１２】
0006455146.tif 000013